【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
成人対象の眼に対してコンタクトレンズを適合させるためのシステムであって、前記システムは、
前記成人対象の眼の最平坦角膜経線における曲率半径を決定するための手段と、
前記成人対象の眼のためのコンタクトレンズであって、前記コンタクトレンズは、前記眼の最平坦角膜経線における曲率から２．０ジオプタ〜６．０ジオプタだけ変動する曲率を伴う視覚ゾーンを有し、前記コンタクトレンズが前記眼につけられたときに、直径が０．５ｍｍよりも大きい気泡が前記コンタクトレンズと前記眼との間に形成されることが防止され、前記コンタクトレンズは、前記コンタクトレンズの中心から前記コンタクトレンズの縁に向かって曲率が次第に平坦になる、コンタクトレンズと
を含む、システム。
【請求項２】
前記コンタクトレンズは、前記眼の最平坦角膜経線における曲率よりも２．０ジオプタ〜６．０ジオプタだけ大きい曲率を伴う視覚ゾーンを有する、請求項１に記載のシステム。
【請求項３】
前記コンタクトレンズは、前記眼の最平坦角膜経線における曲率よりも２．０ジオプタ〜６．０ジオプタだけ小さい曲率を伴う視覚ゾーンを有する、請求項１に記載のシステム。
【請求項４】
前記コンタクトレンズは、前記眼の最平坦角膜経線における曲率から３．５ジオプタ〜５．５ジオプタだけ変動する曲率を伴う視覚ゾーンを有する、請求項１に記載のシステム。
【請求項５】
前記システムは、老視、コンピュータ視覚症候群（ＣＶＳ）、不十分な遠近調節から成る群から選択される眼科的状態を治療するためのものである、請求項１に記載のシステム。
【請求項６】
前記システムは、前記コンタクトレンズが前記眼につけられたときに、前記コンタクトレンズと前記眼との間に適用可能な治療薬をさらに含む、請求項５に記載のシステム。
【請求項７】
前記治療薬は、ヒアルロニダーゼ、コンドロイチナーゼＡＢＣ、コンドロイチナーゼＡＣ、エンドＢ−ガラクトシダーゼ、ストロメライシン、細菌性コラゲナーゼ、間質性コラゲナーゼ、ゼラチナーゼから成る群から選択される１つ以上の軟化剤を含む、請求項６に記載のシステム。
【請求項８】
前記１つ以上の軟化剤は、ヒアルロニダーゼおよび細菌性コラゲナーゼを含む、請求項７に記載のシステム。
【請求項９】
前記１つ以上の軟化剤は、１〜１０ＵＳＰ単位／ｍＬのヒアルロニダーゼと５〜１５ＵＳＰ単位／ｍＬの細菌性コラゲナーゼとを含む、請求項８に記載のシステム。
【請求項１０】
コンタクトレンズであって、前記コンタクトレンズは、
７．０ｍｍ〜９．０ｍｍの視覚ゾーン直径と７．０ｍｍ〜１０．０ｍｍの曲率半径とを有する視覚ゾーンと、
前記視覚ゾーンを包囲する内周領域であって、前記内周領域は、前記視覚ゾーンの曲率半径よりも０．５ｍｍ〜１．５ｍｍ大きい曲率半径を有し、前記コンタクトレンズは、成人対象の眼の角膜の上に配置されるように構成されており、前記コンタクトレンズが前記眼につけられたときに、直径が０．５ｍｍよりも大きい気泡が前記コンタクトレンズと前記眼との間に形成されることが防止され、前記コンタクトレンズは、前記コンタクトレンズの中心から前記コンタクトレンズの縁に向かって曲率が次第に平坦になる、内周領域と
を含む、コンタクトレンズ。
【請求項１１】
眼科的状態を治療するためのシステムであって、前記システムは、
請求項１０に記載のコンタクトレンズと、
前記眼科的状態に罹患している前記成人対象の眼に適用可能な１つ以上の角膜軟化剤と
を含む、システム。
【請求項１２】
前記コンタクトレンズは、前記眼の最平坦角膜経線における曲率よりも２．０ジオプタ〜６．０ジオプタだけ大きい曲率を伴う視覚ゾーンを有する、請求項１１に記載のシステム。
【請求項１３】
前記コンタクトレンズは、前記眼の最平坦角膜経線における曲率よりも２．０ジオプタ〜６．０ジオプタだけ小さい曲率を伴う視覚ゾーンを有する、請求項１１に記載のシステム。
【請求項１４】
前記コンタクトレンズは、前記眼の最平坦角膜経線における曲率から３．５ジオプタ〜５．５ジオプタだけ変動する曲率を伴う視覚ゾーンを有する、請求項１１に記載のシステム。
【請求項１５】
前記システムは、老視、コンピュータ視覚症候群（ＣＶＳ）、不十分な遠近調節から成る群から選択される眼科的状態を治療するためのものである、請求項１１に記載のシステム。
【請求項１６】
前記システムは、前記コンタクトレンズが前記眼につけられたときに、前記コンタクトレンズと前記眼との間に適用可能な治療薬をさらに含む、請求項１１に記載のシステム。
【請求項１７】
前記治療薬は、ヒアルロニダーゼ、コンドロイチナーゼＡＢＣ、コンドロイチナーゼＡＣ、エンドＢ−ガラクトシダーゼ、ストロメライシン、細菌性コラゲナーゼ、間質性コラゲナーゼ、ゼラチナーゼから成る群から選択される１つ以上の軟化剤を含む、請求項１６に記載のシステム。
【請求項１８】
前記１つ以上の軟化剤は、ヒアルロニダーゼおよび細菌性コラゲナーゼを含む、請求項１７に記載のシステム。
【請求項１９】
前記１つ以上の軟化剤は、１〜１０ＵＳＰ単位／ｍＬのヒアルロニダーゼと５〜１５ＵＳＰ単位／ｍＬの細菌性コラゲナーゼとを含む、請求項１８に記載のシステム。
【請求項２０】
成人対象の眼に対してコンタクトレンズを適合させるためのシステムであって、前記システムは、
前記成人対象の眼の最平坦角膜経線における曲率半径を決定するための手段と、
前記成人対象の眼のためのコンタクトレンズであって、前記コンタクトレンズは、前記眼の最平坦角膜経線における曲率から２．０ジオプタ〜６．０ジオプタだけ変動する曲率を伴う視覚ゾーンを有し、前記コンタクトレンズが前記眼につけられたときに、前記眼の角膜と前記コンタクトレンズとの間の流体体積は、０．０５立方ｍｍ〜０．３立方ｍｍに維持され、前記コンタクトレンズは、前記コンタクトレンズの中心から前記コンタクトレンズの縁に向かって曲率が次第に平坦になる、コンタクトレンズと
を含む、システム。
【請求項２１】
前記眼の角膜と前記コンタクトレンズとの間の流体体積は、涙液体積である、請求項２０に記載のシステム。
【請求項２２】
前記コンタクトレンズは、前記眼の最平坦角膜経線における曲率よりも２．０ジオプタ〜６．０ジオプタだけ大きい曲率を伴う視覚ゾーンを有する、請求項２０に記載のシステム。
【請求項２３】
前記コンタクトレンズは、前記眼の最平坦角膜経線における曲率よりも２．０ジオプタ〜６．０ジオプタだけ小さい曲率を伴う視覚ゾーンを有する、請求項２０に記載のシステム。
【請求項２４】
前記コンタクトレンズは、前記眼の最平坦角膜経線における曲率から３．５ジオプタ〜５．５ジオプタだけ変動する曲率を伴う視覚ゾーンを有する、請求項２０に記載のシステム。
【請求項２５】
前記コンタクトレンズは、前記コンタクトレンズが前記眼につけられたときに、直径が０．５ｍｍよりも大きい気泡が形成されることが防止されるような寸法である、請求項２０に記載のシステム。
【請求項２６】
前記コンタクトレンズは、前記コンタクトレンズが前記眼につけられたときに、前記コンタクトレンズが１ｍｍよりも多く移動しないような寸法である、請求項２０に記載のシステム。
【請求項２７】
前記システムは、老視、コンピュータ視覚症候群（ＣＶＳ）、不十分な遠近調節から成る群から選択される眼科的状態を治療するためのものである、請求項２０に記載のシステム。
【請求項２８】
前記システムは、前記コンタクトレンズが前記眼につけられたときに、前記コンタクトレンズと前記眼との間に適用可能な治療薬をさらに含む、請求項２７に記載のシステム。
【請求項２９】
前記治療薬は、ヒアルロニダーゼ、コンドロイチナーゼＡＢＣ、コンドロイチナーゼＡＣ、エンドＢ−ガラクトシダーゼ、ストロメライシン、細菌性コラゲナーゼ、間質性コラゲナーゼ、ゼラチナーゼから成る群から選択される１つ以上の軟化剤を含む、請求項２８に記載のシステム。
【請求項３０】
前記１つ以上の軟化剤は、ヒアルロニダーゼおよび細菌性コラゲナーゼを含む、請求項２９に記載のシステム。
【請求項３１】
前記１つ以上の軟化剤は、１〜１０ＵＳＰ単位／ｍＬのヒアルロニダーゼと５〜１５ＵＳＰ単位／ｍＬの細菌性コラゲナーゼとを含む、請求項３０に記載のシステム。